(57)【特許請求の範囲】
【請求項１】
無線エリアを構成する少なくとも１つの基地局装置に対し無線回線を介して接続される無線端末装置と、前記基地局装置に対し通信網を介して接続される文字メッセージサーバ装置との間で文字メッセージを伝送する構内無線システムであって、
前記文字メッセージサーバ装置は、
前記無線端末装置に備えられる少なくとも１つの操作キーが押下された時に安否確認に対する応答情報を特定する応答可能番号情報と、前記文字メッセージが安否確認に係わるメッセージである場合に前記応答可能番号情報を有効にする簡易応答制御情報とを含めた文字メッセージを生成する文字メッセージ生成手段と、
前記文字メッセージ生成手段により生成された前記応答可能番号情報及び前記簡易応答制御情報を含めた前記文字メッセージを前記無線端末装置に向け前記基地局装置へ送信する文字メッセージ送信手段とを備え、
前記無線端末装置は、
前記基地局装置から送られてくる前記応答可能番号情報及び前記簡易応答制御情報を含めた文字メッセージを受信した際に、前記文字メッセージを表示する表示手段と、
前記表示手段により前記文字メッセージが表示された状態で前記応答可能番号情報に対応した操作キーが押下された場合に、前記簡易応答制御情報に基づき前記応答可能番号情報が有効であるときに、前記応答可能番号情報によって特定される応答情報を生成する応答情報生成手段と、
前記応答情報生成手段により生成された応答情報を前記文字メッセージサーバ装置に向け前記基地局装置へ送信する応答情報送信手段とを備える
ことを特徴とする構内無線システム。
【請求項２】
前記表示手段は、受信した前記文字メッセージが前記安否確認に係わる文字メッセージである場合に、前記安否確認に係わる文字メッセージを受信した旨を示す安否確認受信ピクトを、他の文字メッセージの受信ピクトとは異なる表示形態で優先的に表示することを特徴とする請求項１に記載の構内無線システム。
【請求項３】
さらに、前記安否確認に係わる文字メッセージを受信した旨を示す第１のフラグと、他の文字メッセージを受信した旨を示す第２のフラグとを組み合わせた受信履歴情報を生成し記録媒体に記録する受信履歴情報生成手段を備えることを特徴とする請求項１または２に記載の構内無線システム。
【発明の詳細な説明】
【技術分野】
【０００１】
本発明は、構内ＰＨＳ（Personal Handy-phone System）システムといった構内無線システムに関する。
【背景技術】
【０００２】
周知のように、構内ＰＨＳシステムは、全ての制御を行う制御装置、基地局、設定を行う保守端末、ＰＨＳ端末、文字メッセージサーバ等からなるシステムである。この種のシステムは、音声通話サービスに加え、ＰＨＳ端末に接続したパーソナル・コンピュータや無線通信機能を有するＰＨＳ端末を使用したデータ通信サービスを提供する。
【０００３】
例えば、ユーザがインターネット上の情報提供者から所望の情報を取得しようとする場合には、ＰＨＳ端末から所望の情報提供者に対し発呼する。そうすると、先ずＰＨＳ端末と最寄りの基地局との間が無線回線を介して接続され、続いてこの基地局から公衆網さらにはインターネットを介して情報提供者のサーバがアクセスされる。そして、ＰＨＳ端末とサーバとの間に通信コネクションが確立されると、ＰＨＳ端末の要求に応じた情報が上記通信コネクションを介してサーバからＰＨＳ端末へ伝送される。
【０００４】
このようにデータ通信サービスは、いつでもどこからでも文字メッセージの送受信やインターネット上のホームページ等へのアクセスを行うことができるので大変便利である。文字メッセージは、文字メッセージサーバからＰＨＳ端末へ、ＰＨＳ端末からサーバへ、ＰＨＳ端末からＰＨＳ端末へ送信される。
【０００５】
上記文字メッセージを利用したデータ通信サービスにあっては、災害時等における安否確認を行うための安否確認サービスがある。この安否確認サービスを用いれば、例えば文字メッセージサーバの管理者またはＰＨＳ端末のユーザは文字メッセージにより例えば遠隔地または被災場所にいる他のユーザに対し安否確認を行うことが可能となる。一方、遠隔地または被災場所にいるユーザは、無線回線及びインターネットを介して管理者または他のユーザに安否を伝えることができる。
【先行技術文献】
【特許文献】
【０００６】
【特許文献１】特開２００１−５３７０号公報
【発明の概要】
【発明が解決しようとする課題】
【０００７】
ところが、上記システムでは、ＰＨＳ端末が文字メッセージを受信した場合、応答するときに返信選択、本文作成、送信選択押下等でキーを何度も押下しなければならない。緊急時の安否確認には即時の応答が必要となる。
【０００８】
本発明の目的は、緊急時に簡単なキー操作で即時に安否確認を行うことが可能な構内無線システムを提供することにある。
【課題を解決するための手段】
【０００９】
上記目的を達成するために本発明の観点は、以下のような構成要素を備えている。すなわち、無線エリアを構成する少なくとも１つの基地局装置に対し無線回線を介して接続される無線端末装置と、前記基地局装置に対し通信網を介して接続される文字メッセージサーバ装置との間で文字メッセージを伝送する構内無線システムであって、前記文字メッセージサーバ装置は、前記無線端末装置に備えられる少なくとも１つの操作キーが押下された時に安否確認に対する応答情報を特定する応答可能番号情報と、前記文字メッセージが安否確認に係わるメッセージである場合に前記応答可能番号情報を有効にする簡易応答制御情報とを含めた文字メッセージを生成する文字メッセージ生成手段と、前記文字メッセージ生成手段により生成された前記応答可能番号情報及び前記簡易応答制御情報を含めた前記文字メッセージを前記無線端末装置に向け前記基地局装置へ送信する文字メッセージ送信手段とを備え、前記無線端末装置は、前記基地局装置から送られてくる前記応答可能番号情報及び前記簡易応答制御情報を含めた文字メッセージを受信した際に、前記文字メッセージを表示する表示手段と、前記表示手段により前記文字メッセージが表示された状態で前記応答可能番号情報に対応した操作キーが押下された場合に、前記簡易応答制御情報に基づき前記応答可能番号情報が有効であるときに、前記応答可能番号情報によって特定される応答情報を生成する応答情報生成手段と、前記応答情報生成手段により生成された応答情報を前記文字メッセージサーバ装置に向け前記基地局装置へ送信する応答情報送信手段とを備える。
【００１０】
この観点によれば、文字メッセージサーバ装置から無線端末装置に、応答可能番号情報及び簡易応答制御情報を含めた安否確認に係わる文字メッセージを送信すると、無線端末装置のユーザは、簡易応答制御情報により応答可能番号情報が有効である場合に、応答可能番号情報に対応する操作キーを押下するだけで、安否確認に対する応答情報を生成して返送することができる。  
従って、緊急時に簡単なキー操作で即時に安否確認を行うことが可能になる。
【００１１】
また、簡易応答制御情報を無線端末装置に送信することで、文字メッセージの応答時に、応答可能番号情報で特定される操作キー以外の入力を制限することができ、誤送信をなくすことができる。
【００１２】
また、本発明の観点は以下のような実施態様を備えることを特徴とする。  
第１の実施態様は、表示手段において、受信した前記文字メッセージが前記安否確認に係わる文字メッセージである場合に、前記安否確認に係わる文字メッセージを受信した旨を示す安否確認受信ピクトを、他の文字メッセージの受信ピクトとは異なる表示形態で優先的に表示する。
【００１３】
第１の実施態様によれば、無線端末装置のユーザは、表示画面を見ることで、受信した文字メッセージが安否確認に係わる文字メッセージであるか否かを即時に判断することができる。
【００１４】
第２の実施態様は、さらに、前記安否確認に係わる文字メッセージを受信した旨を示す第１のフラグと、他の文字メッセージを受信した旨を示す第２のフラグとを組み合わせた受信履歴情報を生成し記録媒体に記録する受信履歴情報生成手段を備える。
【００１５】
第２の実施態様によれば、記録媒体に記録された受信履歴情報を一覧表示することで、無線端末装置のユーザは、安否確認に係わる文字メッセージの受信状況を他の文字メッセージと区別して確認できる。
【発明の効果】
【００１６】
本発明によれば、緊急時に簡単なキー操作で即時に安否確認を行うことが可能な構内無線システムを提供することができる。
【図面の簡単な説明】
【００１７】
【図１】本発明の構内ＰＨＳシステムの概略構成図。
【図２】本発明に係る無線端末装置の機能ブロック図。
【図３】本発明に係る安否確認メッセージ送信シーケンス図。
【図４】比較例とする通常の安否確認を行う際の無線端末装置の制御手順を示すフローチャート。
【図５】比較例とする通常の安否確認を行う際の無線端末装置の画面図。
【図６】本発明の第１の実施形態に係る安否確認を行う際の無線端末装置の制御手順を示すフローチャート。
【図７】本発明の第１の実施形態に係る安否確認を行う際の無線端末装置の画面図。
【図８】比較例とする通常の文字メッセージの受信ピクトを示す画面図。
【図９】比較例とする通常の文字メッセージの受信履歴一覧を示す画面図。
【図１０】本発明の第２の実施形態に係る安否確認受信ピクトを示す画面の一例を示す図。
【図１１】本発明の第２の実施形態に係る安否確認受信ピクトを示す画面の切り替わる一例を示す図。
【図１２】本発明の第２の実施形態に係る安否確認受信ピクトを示す画面の切り替わる他の一例を示す図。
【図１３】本発明の第２の実施形態に係る安否確認受信ピクトを消す一例を示す図。
【図１４】本発明の第２の実施形態に係る安否確認受信ピクトを通常の受信ピクトに切り替える一例を示す図。
【図１５】本発明の第２の実施形態に係る安否確認受信ピクトを消す他の一例を示す図。
【図１６】本発明の第２の実施形態に係る安否確認メッセージの受信履歴の一覧を示す図。
【図１７】比較例とする通常の文字メッセージのフォーマットを示す図。
【発明を実施するための形態】
【００１８】
以下、図面を参照して本発明に係わる実施形態を説明する。  
なお、本発明は構内無線システムに好適に適用できるため、以下では、ＰＨＳを用いた構内ＰＨＳシステムを想定して説明する。
【００１９】
図１は、本発明の構内ＰＨＳシステムの概略構成図であり、ＣＳ１はＰＨＳの基地局を示している。複数の基地局ＣＳ１（図１では１つのみ図示）はシステムがカバーするサービスエリアに地理的に分散配置されており、１つもしくは複数で無線エリアを形成している。
【００２０】
ＰＳ１〜ＰＳｎ（ｎは自然数）はＰＨＳを用いた無線端末装置を示している。これらの無線端末装置ＰＳ１〜ＰＳｎは、上記基地局ＣＳ１が形成するセル内において、無線回線を介して接続される。無線端末装置ＰＳ１〜ＰＳｎには、通話機能のみを有する携帯電話機の他に、データ通信機能と無線アクセス機能を備えた携帯情報端末と、携帯電話機にパーソナル・コンピュータを接続したものとがある。
【００２１】
また、基地局ＣＳ１は、ＬＡＮまたはインターネットまたはメタルケーブルを介して制御装置１００に接続される。また、制御装置１００には例えばＬＡＮを介して文字メッセージサーバ２００及び保守端末３００が接続される。文字メッセージサーバ２００は、無線端末装置ＰＳ１〜ＰＳｎ及びインターネット上の有線端末装置間で文字メッセージの伝送を行う際のメールサーバとしての機能を有する。
【００２２】
制御装置１００は、基地局制御インタフェース部（基地局制御ＩＦ）１１０と、主制御基板１２０とを備えている。基地局制御インタフェース部１１０は、呼制御信号及び移動管理制御信号や、音声やデータ等のユーザ情報を基地局ＣＳ１との間で通信する。
【００２３】
主制御基板１２０は、ＰＳ制御タスク１２１と、交換タスク１２２と、運用管理部１２３とを備えている。ＰＳ制御タスク１２１は、呼制御信号及び移動管理制御信号や、音声やデータ等のユーザ情報を基地局制御インタフェース部１１０との間で通信するもので、基地局制御インタフェース部１１０からのデータを交換タスク１２２に送信するとともに、逆に交換タスク１２２からのデータを基地局制御インタフェース部１１０に送信する。
【００２４】
交換タスク１２２は、ＰＳ制御タスク１２１と運用管理部１２３との間で、音声またはデータ等のユーザ情報を交換する。運用管理部１２３は、文字メッセージサーバ２００の運用管理を行うもので、文字メッセージサーバ２００からのデータを交換タスク１２２に送信するとともに、交換タスク１２２からのデータを文字メッセージサーバ２００に送信する。
【００２５】
ところで、実施形態における文字メッセージサーバ２００は、文字メッセージ生成部２１１と、文字メッセージ送信部２１２とを備える。これら文字メッセージ生成部２１１及び文字メッセージ送信部２１２は、ＣＰＵ、ＲＡＭ及びＲＯＭによって実現する。
【００２６】
文字メッセージ生成部２１１は、ヘッダ及びメッセージデータから成る文字メッセージを蓄積または生成すると共に、無線端末装置ＰＳ１〜ＰＳｎに備えられる少なくとも１つの操作キーが押下された時に安否確認に対する応答情報を特定する応答可能番号情報と、文字メッセージが安否確認に係わるメッセージである場合に応答可能番号情報を有効にする簡易応答制御情報とを生成する。
【００２７】
ヘッダには、宛先となる端末ＩＤ及び送信元の端末ＩＤが含まれる。メッセージデータには具体的な安否確認の内容がテキスト形式で入力される。応答可能番号情報は、１ビットで１つの数字を表し、例えば「００１」の場合「１」を入力可能、「００３」の場合「１」と「２」を入力可能、３ＦＦの場合「０」〜「９」を入力可能であることを示す。簡易応答制御情報は、「０」の場合に簡易応答無を示し、「１」の場合に簡易応答有を示す。
【００２８】
文字メッセージ送信部２１２は、文字メッセージ生成部２１１により生成された応答可能番号情報及び簡易応答制御情報を含めた文字メッセージを無線端末装置ＰＳ１〜ＰＳｎに向け基地局ＣＳ１へ送信する。
【００２９】
一方、無線端末装置ＰＳ１〜ＰＳｎは、図２に示すように構成される。ここでは、無線端末装置ＰＳ１を代表して説明する。  
ＲＦ部１１は、例えば１．９ＧＨｚ帯の無線信号を送受信するためのアナログ回路である。Ｌ１処理部１２は、ＰＨＳのレイヤー１の処理をおこなうもので、チャネルコーディング（変復調）処理や、ビット同期・フレーム同期、誤り検出等を行う。
【００３０】
Ｌ２処理部１３は、ＰＨＳのレイヤー２の処理をおこなうもので、フレーム／デフレーム化を行い、物理スロットと機能チャネルとの変換を提供する。
【００３１】
ＡＤＰＣＭ部１４は、Ｌ２処理部１２からのＴＣＨ(Traffic Channel）のデータを音声復号化し、スピーカヘ出力するとともに、マイクからの音声信号を符号化し、Ｌ２処理部１２へ出力する。
【００３２】
ＣＰＵ１５は、ＰＨＳのレイヤー２処理の一部（リンク確立等）と、レイヤー３処理（呼制御、移動管理、無線管理等）、アプリケーション処理等を実行する。レイヤー３処理の移動管理には、位置登録処理が含まれる。アプリケーション処理には、一般的な携帯無線電話機の機能（電話帳機能、メール機能）の他、網側から送信されたＧＰＳアシストデータを保持してＧＰＳ／ＩＭＥＳ受信機（図示せず）に提供する機能が含まれる。
【００３３】
キーパッド１８は、ユーザの操作を受け付ける押しボタン群である。  
キーコントローラ１９は、キーパッド１８の状態を監視し、ボタンが押されたときは、ＣＰＵ１５に割り込みを発生させつつ、キーコードをバッファする。
【００３４】
ドットマトリクスＬＣＤ(liquid crystal display)２０は、複数行の文字列や簡単なアイコン（ピクトグラム）等を表示し、ユーザに視覚的インタフェースを提供する。ＬＣＤコントローラ２１は、ドットマトリクスＬＣＤ２０に文字を描画したり、表示をスクロールさせたりする制御を行う。
【００３５】
ＲＯＭ２２は、例えばＮＯＲ型フラッシュメモリであり、ＣＰＵ１５が実行するＯＳ、プログラムやデータ（ファームウェア）を記憶する。
【００３６】
ＲＡＭ２３は、例えばＳＲＡＭであり、一時的なデータを保持する。このデータには、網側から受信したＧＰＳアシストデー夕、ＣＳ−ＩＤとＩＭＥＳのＰＲＮとを対応付けた辞書が含まれうる。
【００３７】
タイマー２４は、例えばProgrammable Timer/Counter等と呼ばれるデバイスで、指定された時聞にタイマー割り込みを発生させる。
【００３８】
外部Ｉ／Ｆ２５は、例えばＵＳＢ（商標）であり、ファームウェアの書き換えやユーザ、データの読出し、書込み等に使用する。また工業用キーパッド／タッチパネル、カードリーダー／ライタとのインタフェースにもなる。
【００３９】
ところで、上記ＣＰＵ１５は、本発明の実施形態に係わる機能として、文字メッセージ表示制御部１５ａと、応答情報生成部１５ｂと、応答情報送信部１５ｃと、受信履歴情報生成部１５ｄとを備えている。
【００４０】
文字メッセージ表示制御部１５ａは、基地局ＣＳ１から送られてくる安否確認に係わる文字メッセージを受信した際に、受信した文字メッセージをＲＡＭ２３に蓄積するとともに、ドットマトリクスＬＣＤ２０にＲＡＭ２３に蓄積された文字メッセージを選択的に表示するとともに、安否確認に係わる文字メッセージを受信した旨を示す安否確認受信ピクトを表示する。この場合、通常の文字メッセージの受信ピクトとは異なる表示形態で表示する。
【００４１】
応答情報生成部１５ｂは、ドットマトリクスＬＣＤ２０に文字メッセージが表示された状態で応答可能番号情報に対応した操作キーが押下された場合に、簡易応答制御情報に基づき応答可能番号情報が有効であるときに、応答可能番号情報によって特定される応答情報を生成する。
【００４２】
応答情報送信部１５ｃは、上記応答情報生成部１５ｂにより生成された応答情報を文字メッセージサーバ２００に向け基地局ＣＳ１へ送信する。  
受信履歴情報生成部１５ｄは、安否確認に係わる文字メッセージを受信した旨を示すフラグと、通常文字メッセージを受信した旨を示すフラグとを組み合わせた受信履歴情報を生成しＲＡＭ２３に記録する。
【００４３】
（第１の実施形態）  
第１の実施形態に先立ち、通常の安否確認のための動作について説明する。
【００４４】
文字メッセージサーバ２００の管理者において、例えば遠隔地または災害が起きた被災場所に対し安否確認を行う必要が発生したとする。この場合、管理者は、文字メッセージを送信するためのアプリケーションを起動させ、図１７に示すように、例えば文字メッセージサーバ２００の入力部から種々ヘッダ情報及び安否確認の内容を表すメッセージを入力して文字メッセージを作成する。
【００４５】
そうして文字メッセージの作成を終了すると、図３のシーケンスを開始する。文字メッセージサーバ２００は制御装置１００にアクセスして各無線端末装置ＰＳ１〜ＰＳｎ（図３では無線端末装置ＰＳ１のみ図示）に対しメッセージの着信を知らせる（Ｓ３ａ）。このメッセージ着信通知は、運用管理部１２３を介して交換タスク１２２へ送信される（Ｓ３ｂ）。
【００４６】
交換タスク１２２は、ＰＳ制御タスク１２１に対し着呼要求を送信する（Ｓ３ｃ）。すると、ＰＳ制御タスク１２１は基地局制御インタフェース部１１０に対し文字メッセージ着信の旨を示すＳＥＴＵＰメッセージを送信する（Ｓ３ｄ）。基地局制御インタフェース部１１０は、ＳＥＴＵＰメッセージを受信すると、基地局ＣＳ１を介して着信先となる例えば無線端末装置ＰＳ１の呼び出しを行う（Ｓ３ｅ）。
【００４７】
無線端末装置ＰＳ１は着呼を受信すると、ＰＳ制御タスク１２１に対しＳＥＴＵＰメッセージを正しく受信した旨を示すメッセージ（ＡＬＥＲＴ）を基地局ＣＳ１及び基地局制御インタフェース部１１０を介して送信する（Ｓ３ｆ，Ｓ３ｇ）。すると、ＰＳ制御タスク１２１は交換タスク１２２に対し着呼完了を通知する（Ｓ３ｈ）。
【００４８】
続いて、無線端末装置ＰＳ１は着呼に対し応答すると、ＰＳ制御タスク１２１に対しＣＯＮＮＥＣＴメッセージを基地局ＣＳ１及び基地局制御インタフェース部１１０を介して送信する（Ｓ３ｉ，Ｓ３ｊ）。すると、ＰＳ制御タスク１２１は交換タスク１２２に対しオフフックを通知する（Ｓ３ｋ）。
【００４９】
以後、交換タスク１２２は、文字メッセージサーバ２００に対し運用管理部１２３を介してメッセージ配信要求を送信する（Ｓ３ｌ，Ｓ３ｍ）。
【００５０】
文字メッセージサーバ２００は、宛先に無線端末装置ＰＳ１を指定した文字メッセージを交換タスク１２２に送信する（Ｓ３ｎ，Ｓ３ｏ）。交換タスク１２２は、文字メッセージをＩＮＦＯによりＰＳ制御タスク１２１及び基地局制御インタフェース部１１０及び基地局ＣＳ１を介して無線端末装置ＰＳ１に送信する（Ｓ３ｐ，Ｓ３ｑ，Ｓ３ｒ）。
【００５１】
図４は、無線端末装置ＰＳ１における通常のメッセージ処理手順を示すフローチャートである。
【００５２】
無線端末装置ＰＳ１は、安否確認に係わる文字メッセージを受信すると（ステップＳＴ４ａ）、図５（ａ）に示す画面をドットマトリクスＬＣＤ２０に表示する。この状態でユーザが応答キーを押下すると（ステップＳＴ４ｂ）、無線端末装置ＰＳ１は、図５（ｂ）に示す返信／転送画面をドットマトリクスＬＣＤ２０に表示する（ステップＳＴ４ｃ）。
【００５３】
ここで、ユーザが決定キーを押下すると（ステップＳＴ４ｄ）、無線端末装置ＰＳ１は、図５（ｃ）に示す送信メッセージ作成画面をドットマトリクスＬＣＤ２０に表示する（ステップＳＴ４ｅ）。この状態でユーザが決定キーを押下すると（ステップＳＴ４ｆ）、無線端末装置ＰＳ１は、図５（ｄ）に示す本文作成画面をドットマトリクスＬＣＤ２０に表示する（ステップＳＴ４ｇ）。
【００５４】
送信メッセージの作成が終了し決定キーが押下されると（ステップＳＴ４ｈ）、無線端末装置ＰＳ１は、図５（ｅ）に示す返信画面をドットマトリクスＬＣＤ２０に表示する（ステップＳＴ４ｉ）。この状態でユーザが決定キーを押下すると（ステップＳＴ４ｊ）、無線端末装置ＰＳ１は、文字メッセージサーバ２００に向けて文字メッセージを返送し（ステップＳＴ４ｋ）、図５（ｆ）に示す画面をドットマトリクスＬＣＤ２０に表示する。
【００５５】
かくして、文字メッセージは、基地局ＣＳ１、基地局制御インタフェース部１１０及びＰＳ制御タスク１２１を経由して交換タスク１２２に転送される（Ｓ３ｓ，Ｓ３ｔ，Ｓ３ｕ）。この文字メッセージが到来すると交換タスク１２２は、文字メッセージサーバ２００に対し文字メッセージとともにメッセージ送信応答がＯＫである旨を運用管理部１２３を経由して通知する（Ｓ３ｖ，Ｓ３ｗ）。
【００５６】
以後、無線端末装置ＰＳ１は、ＰＳ制御タスク１２１に対しＤＩＳＣメッセージを送信し（Ｓ３−１，Ｓ３−２）、ＰＳ制御タスク１２１から開放（ＲＥＬ）メッセージが返送されると（Ｓ３−３、Ｓ３−４）、ＰＳ制御タスク１２１に対し開放完了メッセージを送信する（Ｓ３−５，Ｓ３−６）。すると、ＰＳ制御タスク１２１は、切断完了メッセージを交換タスク１２２に通知する（Ｓ３−７）。
【００５７】
ところで、上記手順では、文字メッセージに応答する場合に、メッセージ作成等でキーを複数回押下しなければならない。
【００５８】
そこで、本第１の実施形態では、文字メッセージの電文に応答可能番号情報と、簡易応答制御情報とを追加することにより簡易応答することができるようにしたものである。
【００５９】
図６は、第１の実施形態における無線端末装置ＰＳ１のメッセージ処理手順を示すフローチャートである。
【００６０】
無線端末装置ＰＳ１は、安否確認に係わる文字メッセージを受信すると（ステップＳＴ６ａ）、図７（ａ）に示す画面をドットマトリクスＬＣＤ２０に表示する。この状態でユーザが「１」または「２」のキーを押下すると（ステップＳＴ６ｂ）、無線端末装置ＰＳ１は、文字メッセージに含まれる簡易応答制御情報に基づき簡易応答であるか否かを判定する（ステップＳＴ６ｃ）。
【００６１】
ここで、簡易応答であると判定されると（ＹＥＳ）、無線端末装置ＰＳ１はユーザが押下した「１」または「２」が入力可能キーであるか否かを判定する（ステップＳＴ６ｄ）。ここでは、入力可能キーと判定されると（ＹＥＳ）、無線端末装置ＰＳ１は、図７（ｂ）に示す返信画面をドットマトリクスＬＣＤ２０に表示する（ステップＳＴ６ｅ）。この状態でユーザが決定キーを押下すると（ステップＳＴ６ｆ）、無線端末装置ＰＳ１は、文字メッセージサーバ２００に向けて文字メッセージを返送し（ステップＳＴ６ｇ）、図７（ｃ）に示す画面をドットマトリクスＬＣＤ２０に表示する。
【００６２】
一方、ステップＳＴ６ｃにおいて、簡易応答で無いと判定されると（ＮＯ）、無線端末装置ＰＳ１はユーザが押下した「１」または「２」を無効とする（ステップＳＴ６ｈ）。なお、ステップＳＴ６ｄにおいて、入力可能キーでないと判定されると（ＮＯ）、無線端末装置ＰＳ１は、ステップＳＴ６ｂの処理に移行する。
【００６３】
文字メッセージサーバ２００の管理者は、文字メッセージサーバ２００に蓄積された各無線端末装置ＰＳ１〜ＰＳｎからの安否確認に対する応答メッセージを表示部（図示せず）に表示させ、例えば遠隔地または災害時の被災場所にいるユーザの安否を確認することができる。
【００６４】
以上のように上記第１の実施形態によれば、文字メッセージサーバ２００から無線端末装置ＰＳ１〜ＰＳｎに、応答可能番号情報及び簡易応答制御情報を含めた安否確認に係わる文字メッセージを送信すると、無線端末装置ＰＳ１〜ＰＳｎのユーザは、簡易応答制御情報により応答可能番号情報が有効である場合に、応答可能番号情報に対応する操作キーを押下するだけで、安否確認に対する応答メッセージを生成して返送することができる。  
従って、緊急時に簡単なキー操作で即時に安否確認を行うことが可能になる。
【００６５】
また、簡易応答制御情報を無線端末装置ＰＳ１〜ＰＳｎに送信することで、文字メッセージの応答時に、応答可能番号情報で特定される操作キー以外の入力を制限することができ、誤送信をなくすことができる。
【００６６】
（第２の実施形態）  
第２の実施形態は、安否確認サービスに対応したＰＨＳに、通常メッセージ受信ピクトの他に新たに安否確認受信ピクトを作成し、その表示により受信した文字メッセージが安否確認メッセージであることをユーザに提示し、またメッセージ受信履歴表示においても、通常メッセージとは異なる安否確認メッセージであることを文字により提示する機能に関するものである。
【００６７】
第２の実施形態に先立ち、通常の安否確認のための動作について説明する。  
通常では、メッセージを受信すると、そのメッセージを画面に表示し、メッセージ受信ピクトも画面最上段に表示している。
【００６８】
受信したメッセージ表示は、キー押下やアラーム鳴動、転倒警報、通話の着信など優先度の高いイベントが発生すると更新表示されて消えてしまう。そのために、図８に示すように、メッセージ受信があったことをメッセージ受信ピクトで表示している。
【００６９】
この既存のメッセージ受信機能を使用して、新たに安否確認メッセージ機能を実現するが、受信したメッセージ画面が優先度の高いイベント発生で消えてしまうと、安否確認メッセージを受信したのか、通常メッセージを受信したのかをピクト表示で、区別がつかない為、安否確認は非常に重要なものであるにも関わらず、安否確認メッセージ受信時に直ぐに応答しない、あるいは、応答することを忘れてしまったりするという問題の発生が考えられる。また、メッセージ受信履歴一覧表示でも、図９に示すように、安否確認表示を区別出来る様にしないと同様の問題の発生が考えられる。
【００７０】
そこで、第２の実施形態では、安否確認メッセージと通常メッセージの区別がつかないという問題点を解決するため、安否確認用のピクトを作成し、又、受信履歴には「安」の文字（フラグ）を付与するようにすることで、区別を出来るようにするものである。
【００７１】
安否確認メッセージを受信した時に、無線端末装置ＰＳ１は、文字メッセージ表示制御部１５ａにより、新たに規定した安否確認受信ピクト（既存のメッセージ受信ピクトの反転表示）をブリンクさせる。先にメッセージ受信ピクトを表示中の場合も、図１０に示すように、安否確認受信ピクト表示に切り替える。
【００７２】
安否確認受信ピクトをブリンク中に内線着信を受信して画面が変わっても、図１１に示すように、文字メッセージ表示制御部１５ａは安否確認受信ピクトをそのままブリンク表示で継続させる。
【００７３】
通常メッセージを受信後に、安否確認メッセージを受信した場合、図１２に示すように、文字メッセージ表示制御部１５ａは安否確認受信ピクトに切り替える。
【００７４】
安否確認メッセージを受信して安否確認応答を送信した時に、図１３に示すように、ＣＰＵ１５はＲＡＭ２３中のメッセージ受信履歴に未読の安否確認メッセージが無い場合は、安否確認受信ピクトを消す。その際、未読のメッセージ受信が有る場合は、図１４に示すように、通常メッセージ受信ピクトを表示する。
【００７５】
受信履歴を確認したことで、ＣＰＵ１５は未読の通常メッセージ、及び安否確認メッセージが無くなった場合は、図１５に示すように、ピクト表示を消す。
【００７６】
受信履歴情報生成部１５ｄは、図１６に示すように、受信履歴一覧の表示画面に、未読の場合は［未］、同報通知での安否確認受信時は［同］、通常文字メッセージ受信時は空白、安否確認受信時は［安］を表示して、安否確認を受信済であることを判るようにする。
【００７７】
上記第２の実施形態によれば、無線端末装置ＰＳ１〜ＰＳｎのユーザは、ドットマトリクスＬＣＤ２０の表示画面に表示される安否確認受信ピクトを見ることで、受信した文字メッセージが安否確認に係わる文字メッセージであるか否かを即時に判断することができる。
【００７８】
また、第２の実施形態によれば、ＲＡＭ２３に記録された受信履歴情報をドットマトリクスＬＣＤ２０に一覧表示することで、無線端末装置ＰＳ１〜ＰＳｎのユーザは、安否確認に係わる文字メッセージの受信状況を他の文字メッセージと区別して確認できる。
【００７９】
（その他の実施形態）  
本発明は、上記各実施形態に限定されるものではない。例えば文字メッセージのフォーマットや文字メッセージ送信プロトコル、各無線端末装置の構成等についても、本発明の要旨を逸脱しない範囲で種々変形して実施できる。
【００８０】
その他、この発明は上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００８１】
１１…ＲＦ部、１２…Ｌ１処理部、１３…Ｌ２処理部、１４…ＡＤＰＣＭ部、１５…ＣＰＵ、１５ａ…文字メッセージ表示制御部、１５ｂ…応答情報生成部、１５ｃ…応答情報送信部、１５ｄ…受信履歴情報生成部、１８…キーパッド、１９…キーコントローラ、２０…ドットマトリクスＬＣＤ、２１…ＬＣＤコントローラ、２２…ＲＯＭ、２３…ＲＡＭ、２４…タイマー、１００…制御装置、１１０…基地局制御インタフェース部、１２０…主制御基板、１２１…ＰＳ制御タスク、１２２…交換タスク、１２３…運用管理部、２００…文字メッセージサーバ、２１１…文字メッセージ生成部、２１２…文字メッセージ送信部、３００…保守端末、ＣＳ１…基地局、ＰＳ１〜ＰＳｎ…無線端末装置。
【図１】
0006463143.tif 000002
【図２】
0006463143.tif 000003
【図３】
0006463143.tif 000004
【図４】
0006463143.tif 000005
【図５】
0006463143.tif 000006
【図６】
0006463143.tif 000007
【図７】
0006463143.tif 000008
【図８】
0006463143.tif 000009
【図９】
0006463143.tif 000010
【図１０】
0006463143.tif 000011
【図１１】
0006463143.tif 000012
【図１２】
0006463143.tif 000013
【図１３】
0006463143.tif 000014
【図１４】
0006463143.tif 000015
【図１５】
0006463143.tif 000016
【図１６】
0006463143.tif 000017
【図１７】
0006463143.tif 000018